(57)【要約】【課題】術者の利便性のよい表示が可能な医療用画像処理装置４を提供する。【解決手段】外部医療機器２から入力された信号を処理し、主映像信号を生成する主映像生成手段１２を有する主信号処理手段９と、主映像信号および／または主映像信号と関連を有する複数の補助映像信号の少なくともひとつの映像信号、を選択する映像選択手段１４と、映像選択手段１４が選択した、映像信号を表示画面に表示するモニタ８と、外部医療機器の使用状態に応じたモードを設定するモード設定手段１３とを有し映像選択手段１４は、モード設定手段１３の設定情報に基づき、映像信号を選択する。【選択図】図１２
2009226170.tif 000002
【特許請求の範囲】
【請求項１】
外部医療機器から入力された信号を処理し、主映像信号を生成する主映像生成手段を有する主信号処理手段と、
前記主映像信号、および／または、前記主映像信号と関連を有する複数の補助映像信号の少なくともひとつの映像信号、を選択する映像選択手段と、
前記映像選択手段が選択した、前記映像信号を表示画面に表示する表示手段と、
前記外部医療機器の使用状態に応じたモードを設定するモード設定手段とを有し
前記映像選択手段は、前記モード設定手段の設定情報に基づき、前記映像信号を選択することを特徴とする医療用画像処理装置。
【請求項２】
前記複数の補助映像信号を記憶する内部記憶手段を有することを特徴とする請求項１に記載の医療用画像処理装置
【請求項３】
前記映像選択手段が、前記主映像信号、および、前記複数の補助映像信号の少なくともひとつの映像信号とを選択し、
前記表示手段が、前記主映像信号および前記補助映像信号を表示画面に表示することを特徴とする請求項１または請求項２に記載の医療用画像処理装置。
【請求項４】
前記外部医療機器が、撮像素子を有する内視鏡と、前記内視鏡に照明光を供給する光源装置と、前記補助映像信号を記憶する外部記憶手段とを含み、
前記主映像生成手段が、前記撮像素子が出力した撮像信号を処理し主映像信号である内視鏡映像信号を生成する内視鏡映像生成手段であり、
前記使用状態に応じたモードが、検査前モード、検査中モード、検査後モードまたはメンテナンスモードのいずれかであることを特徴とする請求項１から請求項３のいずれか１項に記載の医療用画像処理装置。
【請求項５】
前記主信号処理手段が、前記内視鏡、前記光源装置または前記外部記憶手段の少なくとも１つから送信される情報に基づき、前記補助映像信号である前記外部医療機器の状態を示すステータス映像信号を生成するステータス映像生成手段を有することを特徴とする請求項４に記載の医療用画像処理装置。
【請求項６】
接続された前記内視鏡の種類を判別する内視鏡種類判別手段を有し、
前記内部記憶手段が、前記内視鏡の前記種類に対応した症例映像の映像信号を記憶する第１の記憶手段と、前記内視鏡の前記種類に対応した検査後手順案内映像の映像信号を記憶する第２の記憶手段を有し、
前記選択手段は、前記内視鏡種類判別手段の判別情報に基づき、前記内視鏡の前記種類に対応した前記補助映像信号を、前記第１の記憶手段または前記第２の記憶手段から選択することを特徴とする請求項４または請求項５に記載の医療用画像処理装置。
【請求項７】
前記映像選択手段が選択した複数の前記映像を前記表示手段の表示画面に表示するための表示画面処理を行う表示画面処理手段と、
前記映像選択手段が選択した前記複数の前記映像の前記表示画面における表示形態を設定する表示方法選択手段とを有することを特徴とする請求項１から請求項６のいずれか１項に記載の医療用画像処理装置。
【請求項８】
前記表示画面における前記表示形態が、表示サイズの大きい親画面と、表示サイズの小さな子画面とから構成され、
前記映像選択手段が、前記親画面に表示する映像信号を選択する第１の選択手段と、前記子画面に表示する映像信号を選択する第２の選択手段とから構成されていることを特徴とする請求項７のいずれか１項に記載の医療用画像処理装置。
【請求項９】
前記親画面のアスペクト比が、前記表示画面のアスペクト比と同じであることを特徴とする請求項８に記載の医療用画像処理装置。
【請求項１０】
前記映像選択手段は、前記モード設定手段により設定されたモードが、検査前モードの場合には、少なくとも前記ステータス映像信号を選択することを特徴とする請求項５から請求項９に記載の医療用画像処理装置。
【請求項１１】
前記映像選択手段は、前記モード設定手段により設定されたモードが、検査後モードの場合には、少なくとも前記検査後手順案内映像の前記補助映像信号を選択することを特徴とする請求項５から請求項９に記載の医療用画像処理装置。
【請求項１２】
患者情報を識別する患者情報識別手段と、
前記患者情報識別手段が識別した患者の映像信号が、前記外部記憶手段に記憶されているかを判別する患者映像判別手段とを有し、
前記映像選択手段は、前記患者映像判別手段が、前記外部記憶手段に前記患者の前記映像信号が記憶されていると判別した場合には、前記患者の前記補助前記映像信号を選択することを特徴とする請求項５から請求項１１に記載の医療用画像処理装置。
【発明の詳細な説明】
【技術分野】
【０００１】
本発明は、医療用画像処理装置に関し、特に、主映像信号と補助映像信号の少なくともひとつの映像信号を選択する映像選択手段を有する医療用画像処理装置に関する。
【背景技術】
【０００２】
医療用分野においては、医療機器により撮像された映像と、映像に関する文字情報とをモニタに同時に表示することで、術者の利便性を図ることが一般的に行われている。
【０００３】
ここで、内視鏡観察に基づいた診断術の進歩によって、広く認知されるようになった内視鏡を例にすれば、病院側では一日の検査回数の増加により、より迅速で確実な検査前準備および検査後処置の重要性が増してきている。また、特殊光観察または特殊画像処理によって、これまでの通常光とは異なる画像診断技術が確立される等、内視鏡観察に関して診断基準が複雑化してきている。一方、これまでの内視鏡システムに用いられていた画像処理装置では、やはりモニタ上に、単一の内視鏡画像と、患者文字情報と、機器の使用モード文字情報とが表示されているだけであった。
【０００４】
これに対して、医療機器を用いた検査に必要な情報を映像として画面に表示することで術者の利便性をさらに図った医療検査システムが知られている。
【０００５】
例えば、特開２００５−３２３８８７号公報には、検査に必要な準備情報が設定可能な準備画面を順に操作パネルに展開することで、順に設定を行うことのできる医療検査システムが開示されている。
【特許文献１】特開２００１−２５４５５号公報
【発明の開示】
【発明が解決しようとする課題】
【０００６】
しかしながら、従来の医療用画像処理装置は、映像と、映像に関する文字情報を同時に表示しているだけであるため、術者が処置中に参考にしたい映像を表示するには別途、映像表示装置を用いる必要があった。すなわち、医師による診断またはスタッフの業務に役立つような補足情報に乏しくそれらを実現する拡張機能を有してはいなかった。
【０００７】
本発明は、上記事情に鑑みてなされたものであり、術者の利便性のよい表示が可能な医療用画像処理装置を提供することを目的としている。
【課題を解決するための手段】
【０００８】
上記目的を達成すべく、本発明の医療用画像処理装置は、外部医療機器から入力された信号を処理し、主映像信号を生成する主映像生成手段を有する主信号処理手段と、前記主映像信号、および／または、前記主映像信号と関連を有する複数の補助映像信号の少なくともひとつの映像信号、を選択する映像選択手段と、前記映像選択手段が選択した、前記映像信号を表示画面に表示する表示手段と、前記外部医療機器の使用状態に応じたモードを設定するモード設定手段とを有し前記映像選択手段は、前記モード設定手段の設定情報に基づき、前記映像信号を選択する。
【発明の効果】
【０００９】
本発明は、術者の利便性のよい表示が可能な医療用画像処理装置を提供するものである。
【発明を実施するための最良の形態】
【００１０】
＜第１の実施の形態＞  
最初に、図１から図４を用いて本発明の第１の実施の形態の医療用画像処理装置４を具備した内視鏡システム１について説明する。図１は、医療用画像処理装置４を具備した内視鏡システム１の外観図であり、図２は、医療用画像処理装置４の構成を示したブロック図であり、図３は、モードによる表示画面３の親画面３Ａと子画面３Ｂの例を示した表であり、図４は、医療用画像処理装置４によるモニタ８の表示画面３を示した図である。
【００１１】
図１に示すように、本実施例の内視鏡システム１は、体腔内に挿入され体腔内観察部位を撮像する細長い挿入部２２Ａを有する内視鏡２２と、この内視鏡２２に照明光を供給する光源装置１０と、内視鏡２２からの撮像信号を信号処理して表示手段であるモニタ８に内視鏡画像等を表示させる医療用画像処理装置４と、送気送水を行う送気送水ポンプ５と、を備え、これら装置をラック６に搭載して構成される。
【００１２】
医療用画像処理装置４は、種々の設定情報や、患者情報、術者情報あるいは手技情報等を入力することができる入力手段のひとつであるキーボード７が接続可能に構成されている。そして、医療用画像処理装置４は、モニタ８の表示画面設定等を、前記キーボード７等の入力手段を用いて、設定可能となっている。
【００１３】
図２のブロック図に示すように、医療用画像処理装置４は、外部医療機器２である内視鏡２２および表示手段であるモニタ８と接続されている。そして、医療用画像処理装置４は、外部医療機器２から入力された信号を処理し主映像信号を生成する主映像生成手段１２を有する主信号処理手段９と、前記主映像信号、および／または、前記主映像信号と関連を有する複数の補助映像信号の少なくともひとつの映像信号、を選択する映像選択手段１４と、映像選択手段１４が選択した映像信号を表示画面３に表示する表示手段であるモニタ８と、外部医療機器２の使用状態に応じたモードを設定するモード設定手段１３とを有している。そして、映像選択手段１４は、モード設定手段１３の設定情報に基づき、映像信号を選択する。なお、モード設定手段１３は、モード入力手段２８であるキーボード７等により術者が設定可能である。
【００１４】
ここで、外部医療機器２の使用状態とは、例えば、図３に示すように、検査前モード、検査中モード、または検査後モードの３つのモードのいずれかである。なお、図３に示すように、検査中モードを、新規と再診に細分化してもよいし、検査前モードまたは検査後モードに、自己診断モードを加えてもよい。検査前モードとは、内視鏡２２を患者の体内に挿入して検査を行う前の準備段階のためのモードであり、検査後モードとは、検査を行った後、次の患者の検査の準備を開始するまでの段階のためのモードである。また、自己診断モードとは、内視鏡システム１を構成している種々の装置の故障等を発見するためのモードであり、検査前または検査後に行われる。
【００１５】
そして図４に示すように、本実施の形態の医療用画像処理装置４と接続されたモニタ８の表示画面３は、主映像信号である内視鏡画像が表示される親画面３Ａと、文字情報が表示される文字画面３Ｃだけでなく、補助映像信号が表示される子画面３Ｂを有している。すなわち、主映像信号と補助映像信号とは、後述する表示画面処理手段１７（図１２参照）により合成されて、ひとつの表示画面３に重畳して表示されている。ここで、親画面３Ａおよび子画面３Ｂは、文字画面３Ｃとは異なる映像を表示する画面である。
【００１６】
ここで、補助映像信号とは、例えば、内部記憶手段１５に記憶されていた映像信号である。また、主映像信号と関連を有する補助映像信号とは、図３に例示するように、主映像信号の参照映像、または主映像信号を撮像する外部医療機器２の情報映像等の信号である。補助映像信号は内部記憶手段１５に記憶されている映像信号が好ましいが、内部記憶手段１５に記憶されている映像信号だけでなく、状況に応じて術者は、外部ビデオ入力された映像信号等も用いることができる。
【００１７】
医療用画像処理装置４においては、モニタ８に表示される映像は、外部医療機器２のシステム動作モードである使用状態に応じたモードにより変化する。そして、内部記憶手段１５には、種々のモードに応じた複数の補助映像信号が記憶されており、映像選択手段１４は、その中からモードに応じた少なくともひとつの補助映像信号を自動的に選択し、表示画面３に表示することができる。
【００１８】
図４は、検査中モードにおけるモニタ８の表示画面３の例を示しており、ここでは子画面３Ｂに補助映像として、同じ患者の超音波診断ＶＴＲ画像が表示されている。
【００１９】
術者は、検査中には、子画面３Ｂに表示されている超音波診断ＶＴＲ画像を参考にしながら、内視鏡２２を操作し、必要な内視鏡画像を撮像したり、患部を採取したりすることができる。そして、医療用画像処理装置４においては、検査前および検査後においては、図４に示した検査中とは異なる表示画面３が自動的に表示される。
【００２０】
なお、補助映像信号は通常は映像選択手段１４により選択されるが、術者が例えば図３に示したようなメニューリストに表示された補助映像の中から選択可能な形態としてもよいし、前述のように所望のビデオ信号を医療用画像処理装置４に入力してもよい。
【００２１】
医療用画像処理装置４は、外部医療機器２の使用状態に応じたモード毎に、そのモードにおいて術者に必要な情報が、主映像信号と複数の補助映像信号とから選択されて自動的に映像として表示画面３に表示される。すなわち、医療用画像処理装置４は、文字情報だけでなく補助的な映像を、適切な時に、自動的に表示されるため、利便性がよい。
【００２２】
なお、医療用画像処理装置４は、主映像信号または補助映像信号を選択し表示する機能を有する。すなわち、医療用画像処理装置４は、主映像信号または補助映像信号のいずれか一方のみを表示画面３に表示することもできる。このため、術者は必要に応じて後述する表示方法選択手段２７（図１２参照）を用いて、必要な情報を表示画面３の全画面を用いて拡大して表示することもできる。
【００２３】
＜第２の実施の形態＞  
次に、図５を用いて本発明の第２の実施の形態の医療用画像処理装置４Ｂについて説明する。図５は、医療用画像処理装置４Ｂの構成を示したブロック図である。なお、医療用画像処理装置４Ｂは、第１の実施の形態の医療用画像処理装置４と類似しているため、同じ構成要素には同じ符号を付し説明は省略する。
【００２４】
医療用画像処理装置４Ｂは、主信号処理手段９が、内視鏡２２、光源装置２１または外部記憶手段２５の少なくとも１つから送信される情報に基づき、外部医療機器２の状態を示すステータス映像信号を生成するステータス映像生成手段１１を有する。
【００２５】
ここで、ステータス映像信号とは、外部医療機器２の状態を示す映像信号であり、例えば、内視鏡２２の種別、使用回数もしくは洗浄来歴の情報、または、光源装置２１のランプの使用時間の情報信号である。
【００２６】
ステータス映像信号としては、外部医療機器２の状態を示す映像信号に限られるものではなく、外部記録手段２５の記録媒体の残り記録容量、または、外部情報検知手段２４が検知した患者の心拍数、体温もしくは脳波の情報等も、ステータス映像生成手段１１を介してモニタ８に表示することができる。
【００２７】
医療用画像処理装置４Ｂは、外部医療機器２等の状態の補助映像を、内視鏡画像が表示されているモニタ８に内視鏡画像と同時に、映像として表示することができる。このため、医療用画像処理装置４Ｂは、医療用画像処理装置４が有する効果に加えて、さらに、術者の利便性がよい。
【００２８】
また、医療用画像処理装置４Ｂは、診断のみでなく、システム運営およびメンテナンスサービスを行いやすい医療用画像処理装置である。  
例えば、医療用画像処理装置４Ｂは、術者が誤って未洗浄の内視鏡を使用してしまうことを検査前に防止できる。また、例えば、医療用画像処理装置４Ｂは、光源装置２１のランプの残りの寿命が短い場合、または記録媒体の残りの記録可能容量が少ない場合には、術者は検査前にランプまたは記録媒体を交換することができるため、検査中にランプ切れの発生または記録媒体の容量不足の発生を防止することができる。
【００２９】
なお、外部情報検知手段２４を有する医療用画像処理装置４Ｂにおいては、映像選択手段１４は、モード設定手段１３の情報だけでなく、外部情報検知手段２４の情報に基づいて映像を選択してもよい。
【００３０】
＜第３の実施の形態＞  
次に、図６を用いて本発明の第３の実施の形態の医療用画像処理装置４Ｃについて説明する。図６は、医療用画像処理装置４Ｃの構成を示したブロック図である。なお、医療用画像処理装置４Ｃは、第１の実施の形態の医療用画像処理装置４と類似しているため、同じ構成要素には同じ符号を付し説明は省略する。
【００３１】
医療用画像処理装置４Ｃは、接続された内視鏡２２の種類を判別する内視鏡種類判別手段１６を有し、内部記憶手段１５が、内視鏡２２の種類に対応した症例映像の映像信号を記憶する第１の記憶手段１５Ａと、内視鏡２２の種類に対応した検査後手順案内映像の映像信号を記憶する第２の記憶手段１５Ｂを有し、映像選択手段１４は、内視鏡種類判別手段１６の判別情報に基づき、内視鏡２２の種類に対応した補助映像信号を、第１の記憶手段１５Ａまたは第２の記憶手段１５Ｂから選択する。
【００３２】
内視鏡２２の種類は多種多様で、例えば適用部位による種類、再使用可能なリユースタイプと１回のみ使用されるディスポーザブルタイプの種類等がある。そして、内視鏡２２の種類によって、検査間の確認項目や検査前後に施す処置の種類が異なる。
【００３３】
医療用画像処理装置４Ｃにおいては、内部記録手段１５が、内視鏡２２の種類に対応した複数の補助映像信号を記憶可能であり、さらには、内視鏡２２の種類に対応した複数の症例映像である補助映像信号と、内視鏡２２の種類に対応した複数の検査後手順案内映像である補助映像信号とを記憶しており、内視鏡２２の種類に対応した補助映像信号を表示画面３に表示することができる。このため、術者は、内視鏡の種類に応じた適切な作業を効率的に行うことができる。
【００３４】
医療用画像処理装置４Ｃは、医療用画像処理装置４等が有する効果に加えて、さらに、術者の利便性がよく、確実な検査フローの構築に役立つ。
【００３５】
＜第４の実施の形態＞  
次に、図７〜図１０を用いて本発明の第４の実施の形態の医療用画像処理装置４Ｄについて説明する。図７は、医療用画像処理装置４Ｄの構成を示したブロック図であり、図８〜図１０は、医療用画像処理装置４Ｄのモニタ８の表示画面３における表示形態を説明するための説明図である。なお、医療用画像処理装置４Ｄは、第１の実施の形態の医療用画像処理装置４と類似しているため、同じ構成要素には同じ符号を付し説明は省略する。
【００３６】
図７に示すように、医療用画像処理装置４Ｄは、映像選択手段１４が選択した複数の映像を表示画面３の表示画面に表示するための表示画面処理を行う表示画面処理手段１７と、映像選択手段１４が選択した複数の映像の表示画面における表示形態を設定する表示方法選択手段２７とを有する。
【００３７】
また、医療用画像処理装置４Ｄは、表示画面３における表示形態が、表示サイズの大きい親画面３Ａと、表示サイズの小さな子画面３Ｂとから構成され、映像選択手段１４が、親画面３Ａに表示する映像信号を選択する第１の選択手段１４Ａと、子画面３Ｂに表示する映像信号を選択する第２の選択手段１４Ｂとから構成されている。
【００３８】
ここで、医療用画像処理装置４Ｄは、表示画面３における表示レイアウト、すなわち、表示形態の例を図８に示す。図８は、親画面３Ａと子画面３Ｂの表示位置および表示サイズの例を示している。医療用画像処理装置４Ｄにおいては、主映像を親画面３Ａに補助映像を子画面３Ｂに表示する標準レイアウトに対して、補助映像を親画面３Ａに主映像を子画面３Ｂに表示するレイアウトも選択可能である。
【００３９】
図８には、子画面３Ｂの表示位置および表示サイズを術者が表示方法選択手段２７から指定すると、それに応じて表示画面処理手段１７が、親画面３Ａの表示位置および表示サイズを自動的に調整している状態を示している。なお、ここでは、親画面３Ａは、Ａ、Ｂ、Ｃの３つの表示サイズに拡大または縮小、すなわちサイズ調整されている例を示している。もちろん親画面３Ａの表示位置および表示サイズを、術者が表示方法選択手段２７から指定する方法も用いることができる。
【００４０】
なお、表示方法選択手段２７としては、例えば、キーボード７、または内視鏡２に配設されているスコープスイッチ（不図示）等を用いることができる。そして、この場合には、術者はキーボード７のキーの押圧操作により、表示形態を設定することもできる。例えば、図９に示したように、キーの押圧操作の時間、すなわち、長押または短押により、異なる入力動作とすることができる。図９では、短押操作を、子画面３Ｂ等の表示位置等を変化する指示を行う入力動作とし、長押操作を、子画面３Ｂ等の表示サイズまたは表示する画面、あるいは、P in Pモード、P out Pモード、またはノーマルモードのいずれかのモードへの変更を指示する入力動作とした例を示している。
【００４１】
医療用画像処理装置４Ｄは、親画面３Ａと子画面３Ｂの表示形態を柔軟に、そして簡単な操作で設定することができるため、術者の利便性がよい。
【００４２】
また、医療用画像処理装置４Ｄは、親画面３Ａのアスペクト比が、表示画面３のアスペクト比と同じであることが好ましい。図１０に示すように、表示画面３のアスペクト比が、図１０（Ａ）に示すように、４：３の場合には、親画面３Ａのアスペクト比も同じ４：３とし、表示画面３のアスペクト比が、図１０（Ｂ）および（Ｃ）に示すように、１６：９の場合には、親画面３Ａのアスペクト比も同じ１６：９とする。
【００４３】
なお、医療用画像処理装置４Ｄは、表示画面３のアスペクト比が、４：３で、かつ、入力される映像信号のアスペクト比が、１６：９の場合には、子画面３Ｂのアスペクト比を４：３、または１６：９のいずれとするかを、術者が選択できるようにしてもよい。表示画面３のアスペクト比が、４：３の場合に、アスペクト比が１６：９の子画面３Ｂを表示すると、子画面３Ｂの縦方向が小さくなり視認性が低下する。しかし、視認性が低下してもアスペクト比１６：９の画面でなければ、かえって検査等の効率が悪い場合もあるためである。あるいは、医療用画像処理装置４Ｄは、表示画面３のアスペクト比が、４：３の場合には、入力される映像信号のアスペクト比によらず、子画面３Ｂのアスペクト比は４：３に固定するようにしてもよい。
【００４４】
前記のように構成することで、医療用画像処理装置４Ｄは、親画面３Ａの視認性を常時よくすることができる。このため、医療用画像処理装置４Ｄは、医療用画像処理装置４等が有する効果に加えて、術者の利便性がさらによい。
【００４５】
なお、医療用画像処理装置４Ｄは、映像選択手段１４は、モード設定手段１３により設定されたモードが、検査前モードの場合には、第２の実施の形態の医療用画像処理装置４Ｂのように、少なくともステータス映像信号を選択するようにしてもよい。すなわち、検査前には、ステータス信号である、スコープ（内視鏡）洗浄来歴、スコープ検査回数またはランプ寿命（使用時間）等の情報を術者は入手する必要があるからである。このため、医療用画像処理装置４Ｄは、医療用画像処理装置４が有する効果に加えて、術者の利便性がさらによい。
【００４６】
また、医療用画像処理装置４Ｄは、映像選択手段１４は、モード設定手段１３により設定されたモードが、検査後モードの場合には、第３の実施の形態の医療用画像処理装置４Ｃのように、少なくとも検査後手順案内映像の映像信号を選択するようにしてもよい。術者は、検査後にはベッドサイド洗浄等の処置を行う必要があり、医療用画像処理装置４Ｄは、それらの検査後手順案内映像を表示手段であるモニタ８に表示することで、確実に処理を行うことができる。特に、親画面３Ａに検査後手順案内映像を表示し、子画面３Ｂに術者が入力可能なチェックリストを映像として表示することも好ましい。
【００４７】
医療用画像処理装置４Ｄは、医療用画像処理装置４が有する効果に加えて、モードに応じた正確な処置を確実に行うことができるために、術者の利便性がよい。
【００４８】
＜第５の実施の形態＞  
次に、図１１を用いて本発明の第５の実施の形態の医療用画像処理装置４Ｅについて説明する。図１１は、医療用画像処理装置４Ｅの構成を示したブロック図である。なお、医療用画像処理装置４Ｅは、第１の実施の形態の医療用画像処理装置４と類似しているため、同じ構成要素には同じ符号を付し説明は省略する。
【００４９】
医療用画像処理装置４Ｅは、患者情報を識別する患者情報識別手段１９と、患者情報識別手段１９が識別した患者の映像信号が外部記憶手段２５に記憶されているかを判別する患者映像判別手段１８とを有し、映像選択手段１４は、患者映像判別手段１８が、外部記憶手段２５に患者の映像信号が記憶されていると判別した場合には、患者の映像信号を選択する。
【００５０】
患者情報は患者情報入力手段２６により入力されるが、例えば患者情報入力手段２６としてキーボード７を用い、患者ＩＤを入力することができる。あるいは、メモリカード等に記録されている情報を、医療用画像処理装置４Ｅとメモリカード等を接続することで入力することもできる。
【００５１】
患者映像としては、外部記憶手段２５としてＤＶＤ装置等を用いた場合には動画映像でもよいし、もちろん静止画映像でもよい。
【００５２】
医療用画像処理装置４Ｅは、患者個人に応じた補助映像を自動的に表示することができるため、医療用画像処理装置４等が有する効果に加えて、さらに術者の利便性がよい。すなわち、医療用画像処理装置４Ｅは、患者が再診である場合には同じ患者の過去に撮影した画像を補助映像として確認しながら、主映像を用いて検査を行うことができるので、術者は、過去の検査時に対する現在の観察箇所の状態を把握しやすい。このため、医療用画像処理装置４Ｅは、術者の正確な診断を可能にするとともに、インフォームド・コンセント (informed consent)にも有用である。
【００５３】
＜第６の実施の形態＞  
次に、図１２および図１３を用いて本発明の第６の実施の形態の医療用画像処理装置４Ｆについて説明する。図１２および図１３は、医療用画像処理装置４Ｆの構成を示したブロック図である。なお、医療用画像処理装置４Ｆは、第１の実施の形態の医療用画像処理装置４と類似しているため、同じ構成要素には同じ符号を付し説明は省略する。
【００５４】
医療用画像処理装置４Ｆは、今まで説明してきた医療用画像処理装置４〜４Ｅの構成要素を全て備えており、全ての機能を有している。
【００５５】
なお、図１３は医療用画像処理装置４Ｆの構成を異なる視点でブロック図として表現している。すなわち、医療用画像処理装置４Ｆの処理手段４Ｆ１およびＣＰＵ４Ｆ２は前述の主信号処理手段、映像選択手段等の機能を有する。また、医療用画像処理装置４Ｆの入力手段４Ｆ４は、患者情報入力手段２６、表示方法選択手段２７およびモード入力手段の機能を有している。すなわち、入力手段として、キーボード７、内視鏡２２の操作部のスイッチ、フットスイッチまたは医療用画像処理装置４Ｆのフロントパネルのスイッチ等を使用することができる。なお、図１３において、フロントパネルのスイッチ等が、医療用画像処理装置４Ｆの外部に図示されているが、医療用画像処理装置４Ｆの一部であってもよい。
【００５６】
また、図１３には、モニタ８の表示画面３に、親画面３Ａおよび子画面３Ｂに加えて、文字情報を表示する文字画面３Ｃを有する例を示している。なお、モニタ８の表示画面３に表示する画面数は２または３に限定されるものではなく、主映像信号と２以上の補助映像信号を表示する場合等には、主画面と２以上の子画面を表示してもよい。
【００５７】
さらに、医療用画像処理装置４Ｆは、内部記憶手段１５等に、モニタ３に表示された映像を記憶することもできる。通常の内視鏡映像を記憶することはもちろん、参照した補助映像を含めた全ての映像を記憶することも可能である。
【００５８】
医療用画像処理装置４Ｆは、医療用画像処理装置４等が有する効果に加えて、さらに術者の利便性が極めてよい表示が可能である。
【００５９】
もちろん、第１の実施の形態の医療用画像処理装置４〜第５の実施の形態の医療用画像処理装置４Ｅで説明したように、医療用画像処理装置４Ｆが有する全ての構成要素を具備せずとも、本発明の医療用画像処理装置は、それぞれの構成要素による効果を奏することができる。また医療用画像処理装置４〜４Ｅで説明した種々の構成要素を適宜、組み合わせて使用することも可能である。
【００６０】
本発明は、上述した実施の形態に限定されるものではなく、本発明の要旨を変えない範囲において、種々の変更、改変等が可能である。
【図面の簡単な説明】
【００６１】
【図１】第１の実施の形態の医療用画像処理装置を具備した内視鏡システムの外観図である。
【図２】第１の実施の形態の医療用画像処理装置の構成を示したブロック図である。
【図３】第１の実施の形態の医療用画像処理装置のモードによる表示画面の親画面と子画面の例を示した表
【図４】第１の実施の形態の医療用画像処理装置によるモニタの表示画面を示した図である。
【図５】第２の実施の形態の医療用画像処理装置の構成を示したブロック図である。
【図６】第３の実施の形態の医療用画像処理装置の構成を示したブロック図である。
【図７】第４の実施の形態の医療用画像処理装置の構成を示したブロック図である。
【図８】第４の実施の形態の医療用画像処理装置のモニタの表示画面における表示形態を説明するための説明図である。
【図９】第４の実施の形態の医療用画像処理装置のモニタの表示画面における表示形態を説明するための説明図である。
【図１０】第４の実施の形態の医療用画像処理装置のモニタの表示画面における表示形態を説明するための説明図である。
【図１１】第５の実施の形態の医療用画像処理装置の構成を示したブロック図である。
【図１２】第６の実施の形態の医療用画像処理装置の構成を示したブロック図である。
【図１３】第６の実施の形態の医療用画像処理装置の構成を示したブロック図である。
【００６２】
１…内視鏡システム、２…外部医療機器、３…表示画面、３Ａ…親画面、３Ｂ…子画面、３Ｃ…文字画面、４、４Ｂ、４Ｃ、４Ｄ、４Ｅ、４Ｆ…医療用画像処理装置、５…送気送水ポンプ、６…ラック、７…キーボード、８…モニタ、９…主信号処理手段、１０…光源装置、１１…ステータス映像生成手段、１２…主映像生成手段、１３…モード設定手段、１４…映像選択手段、１４Ａ…第１の選択手段、１４Ｂ…第２の選択手段、１５…内部記憶手段、１５Ａ…第１の記憶手段、１５Ｂ…第２の記憶手段、１６…内視鏡種類判別手段、１７…表示画面処理手段、１８…患者映像判別手段、１９…患者情報識別手段、２１…光源装置、２２…内視鏡、２２Ａ…挿入部、２４…外部検知手段、２５…外部記憶手段、２６…患者情報入力手段、２７…表示方法選択手段
【図１】
2009226170.tif 000003
【図２】
2009226170.tif 000004
【図３】
2009226170.tif 000005
【図４】
2009226170.tif 000006
【図５】
2009226170.tif 000007
【図６】
2009226170.tif 000008
【図７】
2009226170.tif 000009
【図８】
2009226170.tif 000010
【図９】
2009226170.tif 000011
【図１０】
2009226170.tif 000012
【図１１】
2009226170.tif 000013
【図１２】
2009226170.tif 000014
【図１３】
2009226170.tif 000015